(57)【要約】  表示装置１００において、バックライト（照明装置）２００のバックシャーシ７に複数の貫通孔が設けられており、ＬＥＤ２を実装した基板３がバックシャーシ７の外側に設けられてある。ＬＥＤ２から放射される光はバックシャーシ７に設けられた貫通孔に挿通された誘導拡散レンズ４により、筐体１０の内部に誘導されて拡散され、拡散板５及び光学シート積層体６を透過して液晶パネル１に照射される。基板３をバックシャーシ７の外側に設けることにより、ＬＥＤ２から発せられる熱が筐体１０に収容された液晶パネル１、光学シート積層体６、及び拡散板５に伝わり難いため、これら部材の温度上昇を抑制することができ、したがって、表示欠陥を生じさせない範囲内でＬＥＤ２の発光輝度を高めて、表示画像の輝度を上げることができる。
2016092678.tif 000002
【特許請求の範囲】
【請求項１】
一面が開口された筐体と、該筐体の開口部に向けて光を放射する複数の光源が一面に実装された基板とを備える照明装置において、
前記筐体の底部に複数の貫通孔が形成されており、
前記基板は、前記筐体の前記底部の外側に、前記光源から放射された光が前記貫通孔を通過して前記開口部に放射されるように配置されてあること
を特徴とする照明装置。
【請求項２】
前記貫通孔に挿通され、前記光源から放射された光を誘導する柱状の光誘導部と、
前記筐体の内側に設けられ、前記光誘導部から誘導された光を拡散する拡散レンズと
を備えること
を特徴とする請求項１に記載の照明装置。
【請求項３】
前記光誘導部は内部が中空に形成され、内面で光を反射して誘導するように構成されてあることを特徴とする請求項２に記載の照明装置。
【請求項４】
前記筐体と前記基板との間に設けられた断熱材を備えることを特徴とする請求項１から３までのいずれか一つに記載の照明装置。
【請求項５】
前記基板の他面に接する放熱器を備えることを特徴とする請求項１から４までのいずれか一つに記載の照明装置。
【請求項６】
前記放熱器は、前記基板に接する基部と、該基部に立設された複数の放熱フィンとを有することを特徴とする請求項５に記載の照明装置。
【請求項７】
前記放熱器は、前記基板に接する基部と、該基部に立設された複数の放熱ピンとを有すること特徴とする請求項５に記載の照明装置。
【請求項８】
前記基板は、他面に放熱性を高める処理が施されていることを特徴とする請求項１から７までのいずれか一つに記載の照明装置。
【請求項９】
前記基板は、金属製であることを特徴とする請求項１から８までのいずれか一つに記載の照明装置。
【請求項１０】
請求項１から９までのいずれか一つに記載の照明装置と、該照明装置の前記開口部を塞ぐようにして設けられており、前記光源から照射される光の透過率を制御して画像を表示する表示パネルとを備えることを特徴とする表示装置。
【発明の詳細な説明】
【技術分野】
【０００１】
本発明は、照明装置、及び該照明装置と光透過型の表示パネルとを備える表示装置に関する。
【背景技術】
【０００２】
表示装置の一例として、液晶表示装置がある。液晶表示装置は、液晶パネルと、液晶パネルに光を照射するバックライト（照明装置）とを備える。液晶パネルは、バックライトから照射される光の透過率を変化させることにより、正面に画像を表示する。バックライトは光源と、光源から放射される光を閉じ込める筐体とを有する。バックライトは、光源が配置される位置により、エッジライト式と直下型とに大別される。これらのうち、直下型バックライトを有する液晶表示装置においては、液晶パネルの直下に複数の光源が配置され、光源と液晶パネルとの間に光を拡散する拡散板及び光学シートが配置されている。直下型液晶装置は、複数の光源の局所的な光量制御により、表示される画像のコントラストを高めることができるという利点を有するため、高画質が求められる表示装置を中心に広く採用されている。【０００３】
液晶表示装置に画像を表示する場合、バックライトの光源から熱が発せられる。発生した熱が、筐体外に十分に放出されない場合、拡散板、光学シート、又は液晶パネルの温度が上昇する。斯かる場合、拡散板及び光学シートが熱膨張によって変形し、又は液晶パネル内部に充填された液晶分子が高温で変性するため、表示欠陥が発生する虞がある。【０００４】
特許文献１には、光源を実装した光源基板、及び光源を駆動する駆動基板を、筐体の一部である高熱伝導性の金属製のボトムシャーシに取り付けることにより、該ボトムシャーシを介して光源基板及び駆動基板から発せられる熱を筐体外に放出するように構成された液晶表示装置が開示されている。
【先行技術文献】
【特許文献】
【０００５】
【特許文献１】特開２００９−１２９７０７号公報
【発明の概要】
【発明が解決しようとする課題】
【０００６】
液晶表示装置においては、例えばデジタルサイネージ（電子看板）等に利用される場合に、屋外又は高輝度照明により照らされた屋内で表示される画像の視認性を高めるために、輝度の向上が求められることがある。液晶表示装置の輝度を向上させるためには、バックライトが備える光源に入力する電流を大きくして、光源の発光輝度を増大させる必要がある。【０００７】
しかしながら、光源に入力する電流を大きくして光源の発光輝度を増大させた場合、光源から発せられる熱量も同時に増大する。このような場合、特許文献１の液晶表示装置では、光源から発せられる熱が筐体外に十分に放出されることができず、拡散板、光学シート、又は液晶パネルの温度が上昇して表示欠陥が発生する虞がある。そのため、特許文献１の液晶表示装置では、表示欠陥を生じさせることなく輝度を高めることが難しい。【０００８】
本発明は斯かる事情に鑑みてなされたものであり、その目的は、光源から発生した熱の筐体外への放熱効率を高めることにより、表示欠陥を生じさせることなく輝度を高めることができる照明装置、及び斯かる照明装置を備える表示装置を提供することにある。
【課題を解決するための手段】
【０００９】
本発明に係る照明装置は、一面が開口された筐体と、該筐体の開口部に向けて光を放射する複数の光源が一面に実装された基板とを備える照明装置において、前記筐体の底部に複数の貫通孔が形成されており、前記基板は、前記筐体の前記底部の外側に、前記光源から放射された光が前記貫通孔を通過して前記開口部に放射されるように配置されてあることを特徴とする。【００１０】
本発明にあっては、光源が実装された基板が、筐体の底部の外側に配置されており、光源から発生する熱は筐体の外側に放出される。光源から放射される光は、筐体の底部に形成された貫通孔を通って液晶パネルに照射される。したがって、筐体内側の温度上昇が抑制される。【００１１】
本発明に係る照明装置は、前記貫通孔に挿通され、前記光源から放射された光を誘導する柱状の光誘導部と、前記筐体の内側に設けられ、前記光誘導部から誘導された光を拡散する拡散レンズとを備えることを特徴とする。【００１２】
本発明にあっては、光誘導部により誘導された複数の光源からの光が拡散レンズにより拡散され、均一に拡がって放射される。したがって、放射される光の輝度ムラが抑制される。加えて、貫通孔が、光誘導部が挿通されることにより塞がれているため、貫通孔への塵埃の侵入を防ぐことができる。【００１３】
本発明に係る照明装置は、前記光誘導部は内部が中空に形成され、内面で光を反射して誘導するように構成されてあることを特徴とする。【００１４】
本発明にあっては、光誘導部の内部が中空に形成され、斯かる内部は空気で満たされている。したがって、空気による断熱効果により光誘導部の熱伝導率が低いため、光源から発生した熱が筐体内側に伝わることが抑制される。【００１５】
本発明に係る照明装置は、前記筐体と前記基板との間に設けられた断熱材を備えることを特徴とする。【００１６】
本発明にあっては、断熱材により、光源から発生した熱が筐体内側に伝わることが更に抑制される。【００１７】
本発明に係る照明装置は、前記基板の他面に接する放熱器を備えることを特徴とする。【００１８】
本発明にあっては、基板の他面に設けられた放熱器により、光源から発生した熱は主として基板の他面側に放出される。したがって、筐体側に放出される熱量が減少するため、光源から発生した熱が筐体内側に伝わることが更に抑制される。【００１９】
本発明に係る照明装置は、前記放熱器は、前記基板に接する基部と、該基部に立設された複数の放熱フィンとを有することを特徴とする。【００２０】
本発明にあっては、放熱フィンが上下方向に延在するように表示装置が配置された場合に、温められた空気が放熱フィン間を上向きに流れるため、基板から空気に効率的に熱が交換され、基板が効率的に冷却される。したがって、光源から発生した熱が筐体内側に伝わることが更に抑制される。【００２１】
本発明に係る照明装置は、前記放熱器は、前記基板に接する基部と、該基部に立設された複数の放熱ピンとを有すること特徴とする。【００２２】
本発明にあっては、表示装置がどのような向きで配置された場合でも、放熱ピン間に空気の流れが生じるため、配置方向によらずに基板が効率的に冷却される。したがって、光源から発生した熱が筐体内側に伝わることが更に抑制される。【００２３】
本発明に係る照明装置は、前記基板は、他面に放熱性を高める処理が施されていることを特徴とする。【００２４】
本発明にあっては、基板の他面に施された放熱性を高める処理により、光源から発生した熱は主として基板の他面側に放出される。したがって、筐体側に放出される熱量が減少するため、光源から発生した熱が筐体内側に伝わることが更に抑制される。【００２５】
本発明に係る照明装置は、前記基板は、金属製であることを特徴とする。【００２６】
本発明にあっては、基板は、金属製であるため熱伝導率が高く、光源から発生した熱が効率よく放出される。したがって、光源から発生した熱が筐体内側に伝わることが更に抑制される。【００２７】
本発明に係る表示装置は、前述の照明装置と、該照明装置の前記開口部を塞ぐようにして設けられており、前記光源から照射される光の透過率を制御して画像を表示する表示パネルとを備えることを特徴とする。【００２８】
本発明にあっては、上述の照明装置の筐体の開口部に、表示パネルが設けられている。したがって、上述した照明装置の構造によって筐体内部に熱が伝わることが抑制されるため、表示パネルの温度上昇が抑制される。
【発明の効果】
【００２９】
本発明によれば、光源から発生した熱の筐体外への放熱効率を高めることにより、表示欠陥を生じさせることなく輝度を高めることができる。
【図面の簡単な説明】
【００３０】
【図１】実施の形態１に係る表示装置の側面断面図である。
【図２】実施の形態１に係る表示装置のバックシャーシの貫通孔の周辺を拡大した側面断面図である。
【図３】実施の形態２に係る表示装置のＬＥＤの周辺部を拡大した側面断面図である。
【図４】実施の形態２に係る表示装置のＬＥＤの周辺部を拡大した側面断面図である。
【図５】実施の形態３に係る表示装置のＬＥＤの周辺部を拡大した側面断面図である。
【図６】実施の形態４に係る表示装置のＬＥＤの周辺部を拡大した側面断面図である。
【図７】実施の形態５に係る表示装置のＬＥＤの周辺部を拡大した側面断面図である。
【図８】実施の形態５に係る表示装置のバックシャーシの背面を示す斜視図である。
【図９】実施の形態５に係る表示装置のバックシャーシの背面を示す斜視図である。
【図１０】実施の形態６に係る表示装置のバックシャーシの背面を示す斜視図である。
【図１１】実施の形態７に係る表示装置のＬＥＤの周辺部を拡大した側面断面図である。
【図１２】実施の形態７に係る表示装置のＬＥＤの周辺部を拡大した側面断面図である。
【発明を実施するための形態】
【００３１】
以下、本発明をその実施の形態を示す図面に基づいて詳述する。
【００３２】
（実施の形態１）
図１は、実施の形態１に係る表示装置１００の側面断面図である。本実施の形態に係る表示装置は液晶表示装置である。表示装置１００は、表示パネルである液晶パネル１と、該液晶パネル１に光を照射するバックライト２００とを備える。
【００３３】
バックライト２００は、光源として複数のＬＥＤ（Light Emitting Diode）２を有する。ＬＥＤ２は、基板３上の一面に、縦横に並ぶように複数実装されている。基板３は、例えばアルミニウム等の放熱性の高い金属で成形されていることが望ましい。基板３の実装面上には、ＬＥＤ２に電流を伝導するための配線が銅箔パターン３０（図２参照）により形成されている。銅箔パターン３０により形成された配線は、基板３外に設けられた図示しない駆動回路に接続されている。ＬＥＤ２は、駆動回路から供給される電力を光に変換することにより発光する。後述するように、ＬＥＤ２が実装された基板３の実装面は、液晶パネル１に対向している。
【００３４】
液晶パネル１は、正対する二枚のガラス基板の間に液晶材料が封入され、それら二枚のガラス基板を挟むようにして二枚の偏光板が設けられた薄板状の構造を有する。液晶パネル１は、ガラス基板間の電圧を画素単位で制御して液晶材料の分子の配列方向を変化させ、二枚の偏光板間を通過する光の偏光面のねじれを制御することにより、光の透過率を画素単位で制御することができるように構成されている。
【００３５】
バックライト２００は、バックシャーシ７を有する。図１に示すように、バックシャーシ７は、矩形の底部７０、該底部７０の周囲から斜めに立ち上がる側板、及び該側板の周囲の底部７０と平行な矩形枠状の縁部を有する。底部７０には、縦横に夫々、基板３上の複数のＬＥＤ２間に設けられた間隔と等しい間隔で、複数の例えば円形の貫通孔７１（図２参照）が形成されている。
【００３６】
以下では、底部７０及びその周囲の内側の面と、該面に接続する縁部の一面とを合わせて、バックシャーシ７の内面と称する。また、バックシャーシ７の内面と反対側の面を外面と称する。
【００３７】
バックシャーシ７の内面の略全体には、貫通孔７１（図２参照）が形成された箇所を除いて、光を反射する反射シート１１が貼られている。
【００３８】
図２は、実施の形態１に係る表示装置１００のバックシャーシ７の貫通孔７１の周辺を拡大した側面断面図である。複数の貫通孔７１夫々には、図１及び図２に示すようにして、誘導拡散レンズ４が取り付けられている。誘導拡散レンズ４は、貫通孔７１全体を覆う拡散レンズ部４０ａ、及び拡散レンズ部４０ａの一面から突出し、貫通孔７１の内径と同じ、又はそれより僅かに小さい径を有する円柱状の光誘導部４１ａを有するキノコ型形状を有する。誘導拡散レンズ４は、例えば透明な樹脂製である。拡散レンズ部４０ａは、バックシャーシ７の内側に設けられており、光誘導部４１ａは、底部７０の外側に一部が突出するようにして、貫通孔７１夫々に挿通されている。
【００３９】
底部７０に設けられた複数の貫通孔７１の位置は、基板３上の複数のＬＥＤ２の位置に対応しており、基板３は底部７０の外側に、複数のＬＥＤ２夫々が対応する複数の貫通孔７１夫々に挿通された光誘導部４１ａに対向するようにして設けられている。光誘導部４１ａの拡散レンズ部４０ａとは反対側の一端には凹部が形成されており、該凹部の周囲は基板３上のＬＥＤ２夫々を囲繞するようにして基板３に接している。そのため、ＬＥＤ２夫々は、基板３の実装面と光誘導部４１ａの凹部とにより形成される空間内に配置されている。光誘導部４１ａが底部７０から突出しているため、基板３とバックシャーシ７とは離隔している。基板３は、例えば底部７０に螺子止めされている。
【００４０】
尚、図２の例では、誘導拡散レンズ４は、拡散レンズ部４０ａと光誘導部４１ａとが一体成形されているが、拡散レンズ部４０ａと光誘導部４１ａとが別部品として成形されていてもよい。
【００４１】
バックシャーシ７の縁部の内面側には、バックシャーシ７と略等しい外形形状を有する矩形枠状のパネルシャーシ８が、バックシャーシ７及びパネルシャーシ８の互いの外周を一致させるようにして接合されている。
【００４２】
パネルシャーシ８の内周には溝が周設されており、該溝全体に矩形の拡散板５が、底部７０と平行になるように嵌み込まれている。拡散板５は、例えばアクリル等の透明な樹脂素材に光拡散剤が配合されて形成されており、底部７０に設けられた誘導拡散レンズ４から一の面である背面に照射された光を内部で更に拡散して、反対側の正面から放射する。
【００４３】
拡散板５の正面側に、光学シート積層体６が設けられている。光学シート積層体６は、例えば、入射される光を拡散して輝度を均一化する透明な一枚の拡散シートと、入射される光を自身の法線方向に揃える透明な二枚のプリズムシートとが積層されて構成されている。
【００４４】
パネルシャーシ８の正面側には、パネルシャーシ８の開口部全体を覆うようにして、該開口部より僅かに大きい液晶パネル１が設けられている。液晶パネル１の縁部は、パネルシャーシ８の正面に接している。液晶パネル１の二つの主面のうち、バックシャーシ７及びパネルシャーシ８とは反対側の面が、画像を表示する表示面である。
【００４５】
Ｌ字形状の断面を有する矩形枠状のベゼル９が、パネルシャーシ８の外周面及び液晶パネル１の縁部を覆うようにして、設けられている。すなわち、液晶パネル１は、パネルシャーシ８とベゼル９とにより挟持されている。
【００４６】
バックシャーシ７、パネルシャーシ８、及びベゼル９により、一面が開口された筐体１０が形成されている。
【００４７】
以上の構成を有する表示装置１００において、複数のＬＥＤ２夫々から放射された光は、対応する光誘導部４１ａを通って拡散レンズ部４０ａに達し、拡散レンズ部４０ａにより拡散されて筐体１０内に放射される。複数の誘導拡散レンズ４が夫々対応するＬＥＤ２から放射された光を拡散することにより、筐体１０内に入射する光は全体として均一化され、それから直接、又は反射シート１１により反射されて、拡散板５に照射される。
【００４８】
拡散板５への照射光は、その背面から入射し、拡散板５の内部で拡散され、より均一化されて正面から放射される。
【００４９】
拡散板５により均一化されて放射された光は、光学シート積層体６に入射する。前述のように、光は光学シート積層体６に入射することにより、更に拡散されて均一化されると共に、光学シート積層体６の法線方向に揃えられる。
【００５０】
光学シート積層体６から出射した光は液晶パネル１にその背面側から入射する。液晶パネル１は、図示しない制御回路から入力される信号に従って、画素単位で光の透過率を制御することにより、入力信号に応じた画像を表示面に表示する。
【００５１】
上述のように、表示装置１００に画像を表示するためには、ＬＥＤ２に電力を供給して発光させる必要があるが、ＬＥＤ２に供給される電力のうち一部は熱として放出される。本実施の形態に係る表示装置１００においては、基板３が筐体１０の外部に筐体１０より離隔されて設けられているため、ＬＥＤ２から放出される熱の大部分は筐体１０の外部に放出され、筐体１０の内部に伝わり難い。そのため、拡散板５、光学シート積層体６、及び液晶パネル１の温度上昇が抑制され得、拡散板５及び光学シート積層体６の熱変形、並びに液晶パネル１に充填された液晶の高温による変性が抑制され得る。したがって、表示欠陥が発生しない範囲内でＬＥＤ２に多くの電力を供給してＬＥＤ２をより高輝度で発光させることができ、液晶パネル１に画像をより高輝度で表示することができる。これにより、表示される画像の視認性を高めることができる。
【００５２】
また、本実施の形態に係る表示装置１００においては、バックシャーシ７の貫通孔７１が、光誘導部４１ａが挿通されることにより塞がれているため、動作不良の原因となり得る塵埃の筐体１０内部への侵入を防ぐことができる。それに加えて、誘導拡散レンズ４がバックシャーシ７に取り付けられているため、ＬＥＤ２又は基板３に不良があるために基板３を交換する場合、誘導拡散レンズ４は交換される必要がなく、修理が容易である。
【００５３】
（実施の形態２）
図３及び図４は、実施の形態２に係る表示装置１００のＬＥＤ２の周辺部を拡大した側面断面図である。図３及び図４に示すように、本実施の形態においては、ＬＥＤ２から発せられる光を拡散する誘導拡散レンズ４は、光誘導部を有さず、拡散レンズ部４０ｂ又は４０ｃのみで構成されている。斯かる拡散レンズ部４０ｂ又は４０ｃが、基板３上に実装された複数のＬＥＤ２夫々を覆うようにして、基板３上に取り付けられている。基板３は、拡散レンズ部４０ｂ又は４０ｃが貫通孔７１に収納されるようにして配置される。この構造により、ＬＥＤ２から放射される光は、拡散レンズ部４０ｂ又は４０ｃにより拡散されて均一化され、拡散板５に照射され、更に拡散板５及び光学シート積層体６を通過して液晶パネル１に照射される。
【００５４】
本実施の形態においても、実施の形態１と同様に、基板３が筐体１０の外側に、基板から離隔されて設けられている。そのため、ＬＥＤ２から発せられる熱が筐体１０内部に伝わり難い。したがって、表示欠陥が発生しない範囲内で液晶パネル１に画像をより高輝度で表示することができ、画像の視認性を高めることができる。
【００５５】
本実施の形態のその他の構成については、実施の形態１と同様であるため、その説明を省略する。
【００５６】
（実施の形態３）
図５は、実施の形態３に係る表示装置１００のＬＥＤ２の周辺部を拡大した側面断面図である。図５に示すように、本実施の形態においては、光誘導部４１ｄは、拡散レンズ部４０ｄとは反対側の端が開口され内部が中空である筒状に成形されている。筒状に成形された光誘導部４１ｄが、複数の貫通孔７１に夫々挿通されている。実施の形態１と同様に、光誘導部４１ｄの外径は、貫通孔７１の内径と等しいか、又はそれより僅かに小さい。光誘導部４１ｄの開口端は、複数のＬＥＤ２夫々を囲うようにして、基板３に接している。
【００５７】
本実施の形態の光誘導部４１ｄは、例えば光反射材で成形されており、ＬＥＤ２から放射される光を内面で反射して拡散レンズ部４０ｄまで誘導することができる。光誘導部４１ｄは、筒の内部が空気で満たされているため、空気の断熱効果により、中空に成形されていない実施の形態１の光誘導部と比較して、熱を伝え難い。したがって、ＬＥＤ２から発せられる熱が、光誘導部４１ｄを介して拡散板５、光学シート積層体６、及び液晶パネル１に伝わり難いため、これらの部材の温度上昇が更に抑制され得る。
【００５８】
本実施の形態のその他の構成については、上述した他の実施の形態と同様であるため、その説明を省略する。
【００５９】
（実施の形態４）
図６は、実施の形態４に係る表示装置１００のＬＥＤ２の周辺部を拡大した側面断面図である。図６に示すように、本実施の形態に係る表示装置１００においては、バックシャーシ７と基板３との間にシート状の断熱材１２が設けられている。断熱材１２は、バックシャーシ７の底部７０の外面に、貫通孔７１を除いた略全面に亘って、貼り付けられている。または、細長い形状に成形された複数の断熱材１２が、底部７０の貫通孔７１が形成されていない領域に、互いに平行に貼り付けられていてもよい。いずれであっても、断熱材１２は底部７０の貫通孔７１を塞ぐことなく設けられている。断熱材１２は、例えば接着剤を用いて底部７０に接着されている。
【００６０】
本実施の形態に係る表示装置１００においては、バックシャーシ７と基板３との間に断熱材１２が設けられているため、上述した他の実施の形態と比較して、ＬＥＤ２から発せられる熱が筐体１０の内部に伝わることが更に抑制され、拡散板５、光学シート積層体６、及び液晶パネル１の温度上昇が抑制され得る。したがって、本実施の形態に係る表示装置１００は、表示欠陥が発生しない範囲で、ＬＥＤ２をより高輝度で発光させ、表示画像の輝度をより高めることができる。
【００６１】
本実施の形態のその他の構成については、上述した他の実施の形態と同様であるため、その説明を省略する。
【００６２】
（実施の形態５）
図７は、実施の形態５に係る表示装置１００のＬＥＤ２の周辺部を拡大した側面断面図である。図７に示すように、本実施の形態においては、基板３の裏面に放熱器１３が取り付けられている。放熱器１３は、図７に示すように、基板３の裏面に接する平板状の基部１３０と、基部１３０の取付面とは反対側の面から垂直に立設された互いに平行な複数の短冊形の放熱フィン１３１とを有する。放熱器１３は、銅又はアルミニウム等の高熱伝導性の金属製である。基部１３０と複数の放熱フィン１３１とは一体成形されている。放熱器１３の基部１３０は、例えば螺子を用いて基板３に取り付けられていてもよく、又は鉤状の留め金等の取付部材を用いて取り付けられてもよい。基板３と放熱器１３の基部１３０との間には、隙間を充填するために、高熱伝導性を有するシリコングリース等の潤滑剤が塗られていることが望ましい。
【００６３】
ＬＥＤ２から発せられる熱は、基板３を介して、放熱器１３に伝導される。放熱器１３の表面積は、基部１３０から立設された複数の放熱フィン１３１により拡大されているため、放熱器１３は、その広い表面で空気と接触する。放熱器１３の拡大された表面によって、基板３から伝導された熱は、効率よく空気に放出されることができる。すなわち、放熱器１３が取り付けられていることにより、基板３は効率的に冷却され、そのため、ＬＥＤ２から発せられる熱は筐体１０側には伝わり難く、拡散板５、光学シート積層体６、及び液晶パネル１の温度上昇が抑制され得る。したがって、本実施の形態に係る表示装置１００は、放熱器１３が設けられていない他の実施の形態と比較して、表示欠陥が発生しない範囲で、ＬＥＤ２をより高輝度で発光させ、表示画像の輝度をより高めることができる。
【００６４】
図８及び図９は、実施の形態５に係る表示装置１００のバックシャーシ７の背面を示す斜視図である。図８においては、表示装置１００の短手方向に放熱フィン１３１が延在するように放熱器１３が取り付けられており、表示装置１００は短手方向が上下方向になるように横向きに設置されている。図９においては、表示装置１００の長手方向に放熱フィン１３１が延在するようにして放熱器１３が取り付けられており、表示装置１００は長手方向が上下方向になるように縦向きに設置されている。
【００６５】
図８及び図９のいずれに示された例においても、放熱フィン１３１が上下方向に延在するため、放熱器１３から放出される熱により温められて膨張した空気は、浮力により放熱フィン１３１間の隙間を上昇し、放熱フィン１３１間に新たに周囲の冷たい空気が流れ込む。このような空気の流れにより、温められた空気と冷たい空気とが入れ替わり基板３はより効率的に冷却され得る。したがって、本実施の形態に係る表示装置１００は、図８又は図９のように、放熱フィン１３１が上下方向に延在するように設置されることが望ましい。
【００６６】
本実施の形態のその他の構成については、上述の他の実施の形態と同様であるため、その説明を省略する。
【００６７】
（実施の形態６）
図１０は、実施の形態６に係る表示装置１００のバックシャーシ７の背面を示す斜視図である。本実施の形態においても、実施の形態５と同様に、基板３の裏面に放熱器１３が取り付けられている。ただし、本実施の形態においては、放熱器１３は、実施の形態５のように放熱フィンを有する代わりに、図１０に示すように、基部１３０の取付面とは反対側の面から垂直に延びる複数の放熱ピン１３２を有する。実施の形態５と同様に、放熱器１３は、銅又はアルミニウム等の高熱伝導性の金属製であり、基部１３０と放熱ピン１３２とは一体成形されている。
【００６８】
図１０のように放熱器１３が剣山状に成形されているため、表示装置１００がどのような向きで設置された場合であっても、空気が放熱ピン１３２の間を下から上に流れることができる。したがって、本実施の形態に係る表示装置１００には、放熱をより効率的に行うための設置方法の制約がなく、ユーザは表示装置１００を自由な向きに設置することができる。
【００６９】
本実施の形態のその他の構成については、上述の他の実施の形態と同様であるため、その説明を省略する。
【００７０】
（実施の形態７）
本実施の形態に係る表示装置１００においては、基板３の裏面に放熱性を高める種々の処理が施されている。
【００７１】
図１１及び図１２は、実施の形態７に係る表示装置１００のＬＥＤ２の周辺部を拡大した側面断面図である。例えば、図１１に示すように、基板３の裏面に、黒色の塗料を用いて塗装が施された黒色塗装部３１が形成されていてもよい。黒色は輻射率が高いため、黒色塗装部３１が形成されることにより、ＬＥＤ２から発せられる熱が、基板３の裏面から効率的に輻射され、基板３が効率的に冷却され得る。
【００７２】
または、黒色塗装部３１が形成される代わりに、黒体テープが基板３の裏面に貼られていてもよい。斯かる場合においても、黒色塗装部３１が施された場合と同様に、基板３が効率的に冷却され得る。
【００７３】
または、図１１の例とは異なり、図１２に示すように、基板３に複数の貫通孔３２が、実装面の銅箔パターン３０に重なる位置に設けられ、貫通孔３２に高熱伝導性の物質が充填され、斯かる高熱伝導性の物質に接するようにして、基板３の裏面の略全面に亘って銅又はアルミニウム等の高熱伝導性の金属箔パターン３３が形成された構成であってもよい。このような基板３の構造により、ＬＥＤ２から発せられる熱は、最初に実装面の銅箔パターン３０に伝わり、銅箔パターン３０から貫通孔３２に充填された物質を介して裏面の金属箔パターン３３に伝導され、金属箔パターン３３から効率的に放出される。
【００７４】
本実施の形態においては、基板３が、例えばアルミニウム等の高熱伝導性の材料ではなく、ガラスエポキシ樹脂等の熱伝導性が低い代わりに比較的安価な材料で形成されていた場合であっても、裏面に施された処理により効率的に熱が放出され得る。そのため、放熱性を損なうことなく、基板３を安価な材料で形成することができる。したがって、本実施の形態に係る表示装置１００は、他の実施の形態と比較してより低い費用で製造され、他の実施の形態と同程度に高輝度で画像を表示することができる。
【００７５】
本実施の形態のその他の構成については、上述の他の実施の形態と同様であるため、その説明を省略する。
【００７６】
尚、上述の各実施の形態において、表示パネルが液晶パネルである例を示しているが、本発明はこれらの例に限られない。表示パネルは光の透過率を制御するものであればよく、表示装置は、斯かる表示パネルと、該表示パネルに光を照射する光源とを備えるものであればいずれの種類の表示装置であってもよい。例えば、ＭＥＭＳ（Micro Electro Mechanical Systems、微小電気機械システム）を用いてシャッタを開閉することにより光の透過率を制御するＭＥＭＳシャッタパネルと、該ＭＥＭＳシャッタパネルに光を照射する光源とを備えたＭＥＭＳ表示装置に対しても、本発明は適用可能である。
【００７７】
今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。
【符号の説明】
【００７８】
１００  表示装置
２００  バックライト（照明装置）
１  液晶パネル（表示パネル）
２  ＬＥＤ
３  基板
３０  銅箔パターン
３１  黒色塗装部
３２  貫通孔
３３  金属箔パターン
４  誘導拡散レンズ
４０ａ、４０ｂ、４０ｃ、４０ｄ  拡散レンズ部
４１ａ、４１ｄ  光誘導部
５  拡散板
６  光学シート積層体
７  バックシャーシ
７０  底部
７１  貫通孔
８  パネルシャーシ
９  ベゼル
１０  筐体
１１  反射シート
１２  断熱材
１３  放熱器
１３０  基部
１３１  放熱フィン
１３２  放熱ピン
【図１】
2016092678.tif 000003
【図２】
2016092678.tif 000004
【図３】
2016092678.tif 000005
【図４】
2016092678.tif 000006
【図５】
2016092678.tif 000007
【図６】
2016092678.tif 000008
【図７】
2016092678.tif 000009
【図８】
2016092678.tif 000010
【図９】
2016092678.tif 000011
【図１０】
2016092678.tif 000012
【図１１】
2016092678.tif 000013
【図１２】
2016092678.tif 000014
【国際調査報告】
2016092678.tif 000015
2016092678.tif 000016
2016092678.tif 000017
2016092678.tif 000018